(57)【要約】【課題】２種類以上の内容物を同時に保冷することのできる保冷容器を提供する。【解決手段】第１の内容物が収容されるための有底筒形状の容器本体と、容器本体の上端開口部に固定可能な蓋体と、第２の内容物が収容されるための内容器と、を備え、内容器は、前記容器本体の内部に配置され、かつ前記蓋体の下面にのみ取り付けられる。【選択図】図１
2011088656.tif 000002
【特許請求の範囲】
【請求項１】
第１の内容物が収容されるための有底筒形状の容器本体と、
前記容器本体の上端開口部に固定可能な蓋体と、
第２の内容物が収容されるための内容器と、
を備え、
前記内容器は、前記容器本体の内部に配置され、かつ前記蓋体の下面にのみ取り付けられ前記容器本体には接触しない、保冷容器。
【請求項２】
前記内容器は、前記蓋体の下面の中央部を含む領域に取り付けられる、請求項１に記載の保冷容器。
【請求項３】
前記内容器は、前記蓋体の下面の中央部に取り付けられている、請求項１に記載の保冷容器。
【請求項４】
前記内容器は、前記容器本体より熱伝導率の高い材質からなる、請求項１に記載の保冷容器。
【請求項５】
前記内容器の内部の体積は、前記容器本体の内部の体積から前記内容器の内部の体積を除いた体積より小さい、請求項１に記載の保冷容器。
【請求項６】
前記蓋体には、前記内容器の内部と通じ、かつ開閉可能な貫通孔が設けられており、前記第２の内容物を前記貫通孔から取り出すことができる、請求項１に記載の保冷容器。
【請求項７】
第１の内容物に付着している液体を当該第１の内容物から分離するために、液体を通過する水切り部を前記容器本体の内側の底部にさらに備える、請求項１に記載の保冷容器。
【請求項８】
前記内容器の開口部に固定可能な内蓋をさらに備える、請求項１に記載の保冷容器。
【請求項９】
前記容器本体の内側面に固定され、かつ第３の内容物が載置されるための載置台をさらに備え
前記容器本体の底面と載置台との間に第１の内容物が収容されるための領域を有する、請求項１に記載の保冷容器。
【請求項１０】
前記容器本体の外側に固定されており、かつ第３の内容物を収容するための付加容器をさらに備える、請求項１に記載の保冷容器。
【請求項１１】
サラダが収容されるための有底筒形状の容器本体と、
前記容器本体の上端開口部に固定可能な蓋体と、
ドレッシングが収容されるための内容器と、
を備え、
前記内容器は、前記容器本体の内部に配置され、かつ前記蓋体の下面にのみ取り付けられる保冷容器。
【発明の詳細な説明】
【技術分野】
【０００１】
本発明は、保冷容器に関し、特に２種類以上の内容物を同時に保冷することのできる保冷容器に関する。
【背景技術】
【０００２】
一般に、弁当箱等として使用される保温または保冷容器は、主食および副食といった一定のパターンの内容物を詰めることが前提として設計されている。しかしながら、食の多様化や飲食店や惣菜販売店等の発達により、内容物についても多種多様化している。それにも関わらず、市販されている保温または保冷容器は、上述したようなパターン化された設計に留まったままである。
【発明の概要】
【発明が解決しようとする課題】
【０００３】
本発明の目的は、２種類以上の内容物を同時に効率的に保冷することのできる保冷容器を提供することにある。
【課題を解決するための手段】
【０００４】
本発明の第１の形態にかかる保冷容器は、
第１の内容物が収容されるための有底筒形状の容器本体と、
前記容器本体の上端開口部に固定可能な蓋体と、
第２の内容物が収容されるための内容器と、
を備え、
前記内容器は、前記容器本体の内部に配置され、かつ前記蓋体の下面にのみ取り付けられ前記容器本体には接触しない。
【０００５】
本発明の第１の形態にかかる保冷容器において、
前記内容器は、前記蓋体の下面の中央部を含む領域に取り付けられることができる。
本発明の第１の形態にかかる保冷容器において、
前記内容器は、前記蓋体の下面の中央部に取り付けられていることができる。
本発明の第１の形態にかかる保冷容器において、
前記内容器は、前記容器本体より熱伝導率の高い材質からなることができる。
【０００６】
本発明の第１の形態にかかる保冷容器において、
前記内容器の内部の体積は、前記容器本体の内部の体積から前記内容器の内部の体積を除いた体積より小さいことができる。
本発明の第１の形態にかかる保冷容器において、
前記蓋体には、前記内容器の内部と通じ、かつ開閉可能な貫通孔が設けられており、前記第２の内容物を前記貫通孔から取り出すことができる。
本発明の第１の形態にかかる保冷容器において、
第１の内容物に付着している液体を当該第１の内容物から分離するために、液体を通過する水切り部を前記容器本体の内側の底部にさらに備えることができる。
【０００７】
本発明の第１の形態にかかる保冷容器において、
前記内容器の開口部に固定可能な内蓋をさらに備えることができる。
本発明の第１の形態にかかる保冷容器において、
前記容器本体の内側面に固定され、かつ第３の内容物が載置されるための載置台をさらに備え
前記容器本体の底面と載置台との間に第１の内容物が収容されるための領域を有する、ことができる。
本発明の第１の形態にかかる保冷容器において、
前記容器本体の外側に固定されており、かつ第３の内容物を収容するための付加容器をさらに備えることができる。
【０００８】
本発明の第２の形態にかかる保冷容器は、
サラダが収容されるための有底筒形状の容器本体と、
前記容器本体の上端開口部に固定可能な蓋体と、
ドレッシングが収容されるための内容器と、
を備え、
前記内容器は、前記容器本体の内部に配置され、かつ前記蓋体の下面にのみ取り付けられる。
【図面の簡単な説明】
【０００９】
【図１】第１の実施の形態にかかる保冷容器を示す断面図である。
【図２】第２の実施の形態にかかる保冷容器を示す断面図である。
【図３】第３の実施の形態にかかる保冷容器を示す断面図である。
【図４】図４（Ａ）は、第３の実施の形態にかかる蓋体を示す断面図であり、図４（Ｂ）は、上面図である。
【図５】第４の実施の形態にかかる保冷容器を示す断面図である。
【図６】第５の実施の形態にかかる保冷容器を示す断面図である。
【図７】第６の実施の形態にかかる保冷容器を示す断面図である。
【発明を実施するための形態】
【００１０】
以下、本発明の実施の形態について図面を参照しながら具体的に説明する。
【００１１】
１．第１の実施の形態
まず、第１の実施の形態にかかる保冷容器について説明する。図１は、第１の実施の形態にかかる保冷容器１００の断面図である。
【００１２】
保冷容器１００は、たとえば第１の内容物Ｎ１としてのサラダと、第２の内容物Ｎ２としてのドレッシングとを収容することによりその機能を発揮する。具体的には、保冷容器１００は、第１の内容物Ｎ１が収容される有底筒形状の容器本体１０と、容器本体１０の上端開口部に固定可能な蓋体２０と、蓋体２０の下面にのみ取り付けられ、第２の内容物Ｎ２が収容される内容器３０と、蓋体２０を容器本体１０に固定するための金具２２と、容器本体１０の内側の底部かつ第１の内容物Ｎ１の下に配置される水切り部１４と、を備える。
【００１３】
容器本体１０は、上述したように第１の内容物Ｎ１としてたとえばサラダを収容することができる。容器本体１０には、金具２２を係合するための凹部１２が外側の側面の対向する位置に２箇所設けられている。容器本体１０の材質は、断熱性および保温性を有する材質であれば特に限定されず、複数種類の材質からなってもよい。また容器本体１００の側壁および底面の内部が空洞になっており、その空洞部分が真空になっていてもよい。
【００１４】
蓋体２０は、下面（容器本体１０側の面）の中央部を含む領域に凹部２４を有する。凹部２４の内径は、容器本体１０の上端開口部の内径より小さい範囲内であれば特に限定されないが、たとえば容器本体１０の上端開口部の内径の３分の１程度であることができる。この凹部２４には、内容器３０の上部がはめ込まれる。すなわち、凹部２４の内径は、内容器３０の外径にほぼ一致し、凹部２４の内側面がねじ状に形成されているため、凹部２４の内側に内容器３０を取り付けることができる。また蓋体２０には、その上面の対向する位置に２つの金具２２が取り付けられている。金具２２の先端部分を凹部１２に係合することにより、蓋体２０は容器本体１０に固定され、容器本体１０を密閉することができる。
【００１５】
内容器３０は、上述したように第２の内容物Ｎ２としてたとえばドレッシングを収容することができる。また内容器３０は、蓋体２０の下面の中央部を含む領域に、取り外し可能に取り付けられており、蓋体２０に対して水平方向に旋回させることで取り外しおよび取り付けをすることができる。そして内容器３０は、蓋体２０にのみ取り付けられ、かつ蓋体２０が容器本体１０に取り付けられている状態において、容器本体１０の内部に配置することになる。このように内容器３０が蓋体２０にのみ取り付けられ、容器本体１０等の他の部材と接触しないことによって、内容器３０の周囲が第１の内容物Ｎ１によって埋め尽くされる。その結果、内容器３０に収容された第２の内容物Ｎ２を第１の内容物Ｎ１に対する保冷剤として用いることができる。
【００１６】
また内容器３０は、容器本体１０より熱伝導率の高い材質からなることができる。このように内容器３０の材質が熱伝導率の高い材質からなることによって、第１の内容物Ｎ１と第２の内容物Ｎ２とを相互に保冷することができる。たとえば第２の内容物Ｎ２としてドレッシングを凍らせたものを内容器３０に収容することによって、第１の内容物Ｎ１としてのサラダを冷却することができ、高い保冷効果を発揮することができる。
【００１７】
また内容器３０は、伸縮性の高い材質からなることができる。これにより、上述したようにドレッシングを内容器３０に収容した状態で凍らせたときに、容積が変化した場合、内容器３０が破損するのを防止することができる。
また、内容器３０の内部の体積は、容器本体１０の内部の体積から内容器３０の体積から除いた体積より小さい。内容器３０に収容される第２の内容物Ｎ２は、ドレッシングのような調味料等の第１の内容物Ｎ１の付属的なものであることが好ましい。すなわち、第２の内容物Ｎ２は、第１の内容物Ｎ１にふりかけられるものであることが好ましい。
【００１８】
水切り部１４は、容器本体１０の底部の全面を覆うように設けられており、複数の穴を有するか、もしくは網目形状を有することができる。そして水切り部１４は、複数の脚部１６を有し、容器本体１０の底部から一定の距離を保っている。第１の内容物Ｎ１は、水切り部１４の上に収容される。これにより、たとえば第１の内容物Ｎ１に付着している水分を分離して水切り部１４の下に移動させることができる。なお、水切り部１４の脚部１６に変えて容器本体１０の底部に近い位置の内側面に凸部を設け、その凸部に水切り部１４を引っ掛けることによって、水切り部１４を固定してもよい。
【００１９】
なお図示しないが、内容器３０に内蓋を設けてもよい。内蓋は、蓋体２０と内容器３０の間に固定されてもよいし、内容器３０の内側面に固定されてもよい。内蓋によって内容器３０を密閉することができ、かつ蓋体２０から内容器３０を内蓋ごと取り外すことができ、取り外す際に第２の内容物Ｎ２が内容器３０からこぼれ出るのを防止することができる。
【００２０】
２．第２の実施の形態
次に、第２の実施の形態にかかる保冷容器について説明する。図２は、第２の実施の形態にかかる保冷容器２００の断面図である。第２の実施の形態にかかる保冷容器２００は、内容器１３０の蓋体１２０に対する取り付け方法が第１の実施の形態にかかる保冷容器１００と異なる。
【００２１】
蓋体１２０は、内容器１３０を蓋体１２０に固定するための係合部材１２４を下面１２１（容器本体１０側の面）に有する。また第２の実施の形態にかかる保冷容器２００は、蓋体１２０の下面１２１が凹部を有さず面一に形成されている点においても第１の実施の形態にかかる保冷容器１００と異なる。
【００２２】
なお図示しないが、内容器１３０に内蓋を設けてもよい。内蓋は、蓋体１２０と内容器１３０の間に固定されてもよいし、内容器１３０の内側面に固定されてもよい。内蓋によって内容器１３０の上部の開口部を密閉することができる。
【００２３】
その他の部材については、第１の実施の形態において説明した同一の符号を付与した部材と同様の機能および構成であるので説明を省略する。
【００２４】
３．第３の実施の形態
次に、第３の実施の形態にかかる保冷容器について説明する。図３は、第３の実施の形態にかかる保冷容器３００の断面図である。また、図４（Ａ）および（Ｂ）は、保冷容器３００の蓋体２２０の（Ａ）断面図および（Ｂ）上面図である。第３の実施の形態にかかる保冷容器３００は、第２の内容物Ｎ２を蓋体２２０の上面から取り出せる点で第１の実施の形態にかかる保冷容器１００と異なる。具体的には以下のとおりである。
【００２５】
容器本体３００は、蓋体２２０と、蓋体２２０の中央部を貫通するように設けられた内容器２３０と、内容器２３０の上部に設けられた第１の内蓋２３２および第２の内蓋２３４と、容器本体１０と、金具２２と、水きり部１４とを含む。そして第２の内蓋２３４には、第１の内蓋２３２によって開閉可能な貫通孔２３３が設けられている。貫通孔２３３は、内蓋２３２を図４（Ｂ）の矢印方向に回転させることによって図３に示す位置または図４（Ａ）に示す位置に移動させて、開閉することができる。これにより、蓋体２２０を容器本体１０に装着した状態のまま、貫通孔２３３から第２の内容物Ｎ２を取り出すことができる。
【００２６】
その他の部材については、第１の実施の形態において説明した同一の符号を付与した部材と同様の機能および構成であるので説明を省略する。
【００２７】
４．第４の実施の形態
次に、第４の実施の形態にかかる保冷容器について説明する。図５は、第４の実施の形態にかかる保冷容器４００の断面図である。第４の実施の形態にかかる保冷容器４００は、さらに第３の内容物Ｎ３をさらに収容するための載置台３４０をさらに備える点で、第１の実施の形態にかかる保冷容器１００と異なる。
【００２８】
載置台３４０は、容器本体１０の内側面に設けられた凸部３１８の上に固定される。凸部３１８は、容器本体１０の内側面において、同一の高さに複数設けられてもよいし、容器本体１０の底面に対して水平なドーナツ状に設けられてもよい。このような載置台３４０を有することによって、保冷容器４００は、第１の内容物Ｎ１と第２の内容物Ｎ２との間に、たとえばおにぎりのような第３の内容物Ｎ３を収容することができる。
【００２９】
その他の部材については、第１の実施の形態において説明した同一の符号を付与した部材と同様の機能および構成であるので説明を省略する。
【００３０】
５．第５の実施の形態
次に第５の実施の形態にかかる保冷容器について説明する。図６は、第５の実施の形態にかかる保冷容器５００の断面図である。第５の実施の形態にかかる保冷容器５００は、さらに第３の内容物Ｎ３をさらに収容するための付加容器４４０をさらに備える点で、第１の実施の形態にかかる保冷容器１００と異なる。
【００３１】
付加容器４４０は、容器本体１０の下部に固定されている。容器本体１０の下面には、凹部４４２が設けられ、凹部４４２の内側面がねじ状に形成されているため、凹部４４２の内側に付加容器４４０を取り付けることができる。付加容器４４０は、容器本体１０の底面に対して水平方向に旋回させることで取り外しおよび取り付けをすることができる。
【００３２】
付加容器４４０は、上述したように第３の内容物Ｎ３を収容することができ、第３の内容物Ｎ３としては、たとえばおにぎり等のご飯類をあげることができる。付加容器４４０は、容器本体１０と同様の材質からなることができる。
【００３３】
その他の部材については、第１の実施の形態において説明した同一の符号を付与した部材と同様の機能および構成であるので説明を省略する。
【００３４】
６．第６の実施の形態
次に第６の実施の形態にかかる保冷容器について説明する。図７は、第６の実施の形態にかかる保冷容器６００の断面図である。第６の実施の形態にかかる保冷容器６００は、蓋体５２０がねじ部５２１によって容器本体１０に固定されている点で、金具２２を用いて蓋体２０を容器本体１０に固定している保冷容器１００と異なる。
【００３５】
その他の部材については、第１の実施の形態において説明した同一の符号を付与した部材と同様の機能および構成であるので説明を省略する。
【００３６】
なお、上記の実施の形態においては、保冷容器を円筒状とした例を説明したが、特にこの形状に限定されるものではなく、直方体等の他の形状とすることもできる。その他の部材の形状についても、上記の形状に限定されるものではなく、適宜用途に合わせて設定することができる。
【符号の説明】
【００３７】
１０…容器本体
１２…容器本体の凹部１２
１４…水切り部
１６…脚部
２０…蓋体
２２…金具
２４…蓋体の凹部
３０…内容器
１００…保冷容器
１２０…蓋体
１２１…蓋体の下面
１２４…係合部材
１３０…内容器
２００…保冷容器
２２０…蓋体
２３０…内容器
２３２…第１の内蓋
２３３…貫通孔
２３４…第２の内蓋
３００…保冷容器
３４０…載置台
４００…保冷容器
４４０…付加容器
４４２…容器本体の凹部
５００…保冷容器
５２０…蓋体
５２１…ねじ部
６００…保冷容器
【先行技術文献】
【特許文献】
【００３８】
【特許文献１】特開２０００−６０６２４号公報
【図１】
2011088656.tif 000003
【図２】
2011088656.tif 000004
【図３】
2011088656.tif 000005
【図４】
2011088656.tif 000006
【図５】
2011088656.tif 000007
【図６】
2011088656.tif 000008
【図７】
2011088656.tif 000009
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
第１の内容物が収容されるための有底筒形状の容器本体と、
前記容器本体の上端開口部に固定可能な蓋体と、
第２の内容物が収容されるための内容器と、
を備え、
前記内容器は、前記容器本体の内部に配置され、かつ前記蓋体の下面にのみ取り付けられ前記容器本体には接触せず、
前記蓋体には、前記内容器の内部と通じ、かつ開閉可能な貫通孔が設けられており、前記第２の内容物を前記貫通孔から取り出すことができる、保冷容器。
【請求項２】
第１の内容物が収容されるための有底筒形状の容器本体と、
前記容器本体の上端開口部に固定可能な蓋体と、
第２の内容物が収容されるための内容器と、
前記第１の内容物に付着している液体を当該第１の内容物から分離するために、液体を通過し、前記容器本体の内側の底部に備えられた水切り部と
を備え、
前記内容器は、前記容器本体の内部に配置され、かつ前記蓋体の下面にのみ取り付けられ前記容器本体には接触しない、保冷容器。
【請求項３】
前記内容器は、前記蓋体の下面の中央部を含む領域に取り付けられる、請求項１または２に記載の保冷容器。
【請求項４】
前記内容器は、前記蓋体の下面の中央部に取り付けられている、請求項１または２に記載の保冷容器。
【請求項５】
前記内容器は、前記容器本体より熱伝導率の高い材質からなる、請求項１または２に記載の保冷容器。
【請求項６】
前記内容器の内部の体積は、前記容器本体の内部の体積から前記内容器の内部の体積を除いた体積より小さい、請求項１または２に記載の保冷容器。
【請求項７】
第１の内容物に付着している液体を当該第１の内容物から分離するために、液体を通過する水切り部を前記容器本体の内側の底部にさらに備える、請求項１に記載の保冷容器。
【請求項８】
前記内容器の開口部に固定可能な内蓋をさらに備える、請求項１または２に記載の保冷容器。
【請求項９】
前記容器本体の内側面に固定され、かつ第３の内容物が載置されるための載置台をさらに備え
前記容器本体の底面と載置台との間に第１の内容物が収容されるための領域を有する、請求項１または２に記載の保冷容器。
【請求項１０】
前記容器本体の外側に固定されており、かつ第３の内容物を収容するための付加容器をさらに備える、請求項１または２に記載の保冷容器。
【請求項１１】
サラダが収容されるための有底筒形状の容器本体と、
前記容器本体の上端開口部に固定可能な蓋体と、
ドレッシングが収容されるための内容器と、
を備え、
前記内容器は、前記容器本体の内部に配置され、かつ前記蓋体の下面にのみ取り付けられ、
前記蓋体には、前記内容器の内部と通じ、かつ開閉可能な貫通孔が設けられており、前記ドレッシングを前記貫通孔から取り出すことができる、保冷容器。